(57)【特許請求の範囲】
【請求項１】
長手方向に沿って被検体を載置した天板と、この天板の起倒移動、長手方向移動、上下方向移動を駆動する駆動手段と、前記被検体の関心部位にＸ線を照射し、被検体を透過したＸ線を検出して撮影診断を行うＸ線系と、前記Ｘ線系内に設けられ、前記被検体に対して照射するＸ線を発生させるＸ線管球とを有するＸ線診断装置において、
前記関心部位と前記Ｘ線管球のＸ線照射面中心であるＸ線照射源との長手方向の位置が一致した状態における前記関心部位と前記天板の起倒中心の水平距離と、前記天板の位置及び前記Ｘ線系の回転中心位置に基づく前記関心部位の前記天板からの高さと、前記天板の起倒動作により生じる、前記Ｘ線照射源と前記関心部位とのずれに伴う移動量とに基づいて、前記天板の起倒角度に応じた補正量を算出する制御部を有し、
前記補正量に基づいて前記天板の上下方向移動と長手方向移動とを行って被検体の関心部位の位置ずれを補正することを特徴とするＸ線診断装置。
【請求項２】
長手方向に沿って被検体を載置した天板と、この天板の起倒移動、長手方向移動、上下方向移動を駆動する駆動手段と、前記被検体の関心部位にＸ線を照射し且つ被検体を透過したＸ線を検出して撮影診断を行うＸ線系と、前記Ｘ線系内に設けられ、前記被検体に対して照射するＸ線を発生させるＸ線管球と、このＸ線系の上下方向移動と水平方向移動を駆動する駆動手段とを有するＸ線診断装置において、
前記関心部位と前記Ｘ線管球のＸ線照射面中心であるＸ線照射源との長手方向の位置が一致した状態における前記関心部位と前記天板の起倒中心の水平距離と、前記天板の位置及び前記Ｘ線系の回転中心位置に基づく前記関心部位の前記天板からの高さと、前記天板の起倒動作により生じる、前記Ｘ線照射源と前記関心部位とのずれに伴う移動量とに基づいて、前記天板の起倒角度に応じた補正量を算出する制御部を有し、
前記補正量に基づいて前記Ｘ線系の上下方向移動と水平方向移動とを行って被検体の関心部位の位置ずれを補正することを特徴とするＸ線診断装置。
【請求項３】
長手方向に沿って被検体を載置した天板と、この天板の起倒移動、長手方向移動、上下方向移動を駆動する駆動手段と、前記被検体の関心部位にＸ線を照射し且つ被検体を透過したＸ線を検出して撮影診断を行うＸ線系と、前記Ｘ線系内に設けられ、前記被検体に対して照射するＸ線を発生させるＸ線管球と、このＸ線系の上下方向移動と水平方向移動を駆動する駆動手段とを有するＸ線診断装置において、
前記関心部位と前記Ｘ線管球のＸ線照射面中心であるＸ線照射源との長手方向の位置が一致した状態における前記関心部位と前記天板の起倒中心の水平距離と、前記天板の位置及び前記Ｘ線系の回転中心位置に基づく前記関心部位の前記天板からの高さと、前記天板の起倒動作により生じる、前記Ｘ線照射源と前記関心部位とのずれに伴う移動量とに基づいて、前記天板の起倒角度に応じた補正量を算出する制御部を有し、
前記補正量に基づいて前記天板の上下方向移動及び／又は長手方向移動と前記Ｘ線系の上下方向移動及び／又は水平方向移動とを行って被検体の関心部位の位置ずれを補正することを特徴とするＸ線診断装置。
【発明の詳細な説明】
【０００１】
【発明の属する技術分野】
本発明は、Ｘ線の曝射により被検体内部の透視及び撮影を行うＸ線診断装置に関するものであって、特に、重力を利用したＸ線造影検査の際に用いられるＸ線診断装置に関する。
【０００２】
【従来の技術】
一般に、Ｘ線撮影を行う場合、適切な診断を行う必要から、診断の対象とされる関心部位の多方向からの撮影像が必要とされることが多い。従って、従来のＸ線診断装置の中には、被検体に対して様々な方向からＸ線撮影を行うために、患者（被検体）Ｐを載置する天板が、Ｘ線照射を行うＸ線系に対して起倒移動を行うように構成されたものが存在する（図８参照）。
【０００３】
図８に示す上記Ｘ線診断装置は、主に、患者を載置する天板１と、該天板１を駆動させる手段である寝台２と、被検体Ｐに対しＸ線照射を行うＸ線管３ａ及び被検体Ｐから透過してくるＸ線を検出するＸ線検出器３ｂからなるＸ線系３とを有し構成されている。寝台２は天板１の駆動手段であり、前述の天板１の起倒移動に加え、該天板１の上下方向移動及び長手方向（同図に示す破線矢印方向）移動が可能に構成されている。また、Ｘ線系３は、Ｘ線ビームを常に前記天板１の天板面に関して垂直に照射するべく、天板１の起倒角度に応じた関心部位Ｑを中心とする回転移動が可能に構成されている。
【０００４】
【発明が解決しようとする課題】
しかし、この天板１がＸ線系３に対して起倒移動を行うＸ線診断装置においては、天板１の起倒移動に伴い、被検体Ｐの関心部位ＱとＸ線管３ａのＸ線照射中心であるＸ線照射源Ｒの位置関係にズレが生じてしまう。
【０００５】
図９に示すように、該Ｘ線診断装置において、天板１が起倒角度θの起倒移動を行った際、関心部位ＱがＱ１からＱ２へと移動し、Ｘ線管３ａのＸ線照射中心であるＸ線照射源ＲがＲ１からＲ２へと移動したとする。この時、該起倒後の関心部位Ｑ２は、起倒前の関心部位Ｑ１から水平方向に関し移動量Ａだけ、垂直方向に関し移動量Ｂだけ位置ズレを生じる。
【０００６】
上述のように、該天板１の起倒移動に伴い、前記Ｘ線照射源Ｒは同図に示すＲ１からＲ２へと関心部位Ｑ１を中心とする回転移動を行うため、起倒後のＸ線照射源Ｒ２と起倒後の関心部位Ｑ２は、Ｘ線ビーム中心に関する水平方向にＡ´´だけ位置ズレを生じ、Ｘ線ビーム中心に関する垂直方向にＢ´´だけ位置ズレを生じる（図９参照）。
【０００７】
このように、天板１の起倒移動に伴い、関心部位ＱがＸ線照射源Ｒとの間にＸ線ビーム中心に関する水平方向に位置ズレを生じると、モニタ画面に写し出される前記関心部位Ｑの撮影像が画面中央より辺周方向へと移動してしまい、特に、この位置ズレが大きな場合には、前記関心部位Ｑがモニタ画面から逸脱してしまうという問題を生じる。また、前記関心部位ＱがＸ線照射源Ｒとの間にＸ線ビーム中心に関する垂直方向に位置ズレを生じると、モニタ画面に写し出される前記関心部位Ｑの撮影像の拡大倍率に誤差が生じることになる。特に、この位置ズレが大きな場合には、この拡大倍率の誤差も非常に大きなものとなり、術者が診断の際に煩わしさを感じることになる。
【０００８】
そこで、従来のＸ線診断装置においては、前記天板１の起倒移動に伴う関心部位Ｑの位置ズレ（図９に示すＡ´´及びＢ´´）の補正を行うために、以下に説明する補正が行われている。
【０００９】
まず、前記寝台２の天板１の上下方向移動（移動量Ｂ´）によって、前記関心部位Ｑの位置ズレ補正が行われる。図９に示すように、天板１の上下方向移動により関心部位Ｑは同図に示すＱ２からＱ３へと移動し、これに伴い、前記Ｘ線ビーム中心に関する水平方向の位置ズレ（移動量Ａ´´）は改善され、前記Ｘ線ビーム中心に関する垂直方向の位置ズレ（移動量Ｂ´´）は、補正される。
【００１０】
尚、上記天板１の上下方向に関する移動量Ｂ´は、前記関心部位Ｑの天板１上面からの高さＨ及び前記関心部位Ｑの天板１の起倒中心Ｏからの水平距離Ｌさえ認識されれば、天板１の起倒角度θに応じて一義的に算出される（該計算式については、第一の実施形態のところで詳細に説明する。）値であるため、従来のＸ線診断装置の中には、この天板１の上下方向移動による関心部位Ｑの位置ズレ補正を天板１の起倒移動に同期して自動的に行うものが存在している。
【００１１】
以上に述べたように、該天板１の上下方向移動による位置ズレ補正により、関心部位ＱのＸ線ビーム中心に関する水平方向の位置ズレ（移動量Ａ´´）は改善されるのであるが、上記補正によっても、同図に示す移動量Ａ´が、モニタ画面に写し出される関心部位Ｑの撮影像の位置ズレとなって現れてしまう。
【００１２】
よって、この移動量Ａ´が大きな場合（モニタ画面に写し出される関心部位Ｑの撮影像の位置ズレが気になる場合）には、さらに、前記寝台２の天板１の長手方向（同図に示す破線矢印方向）移動による関心部位Ｑの位置ズレ補正が行われる。
【００１３】
この天板１の長手方向（同図に示す破線矢印方向）移動による位置ズレ補正は、術者のマニュアル操作により行われるものである。術者は、モニタ画面に写し出される関心部位Ｑの撮影像の位置を確認しながら、該関心部位Ｑの撮影像がモニタ画面中央に位置するように、前記天板１の長手方向の位置調整を行う。この位置調整により、前記関心部位Ｑは、同図におけるＱ３からＱ１へと移動し、これをもって前記関心部位ＱのＸ線ビーム中心に関する水平方向の位置ズレ補正が完了する。
【００１４】
しかしながら、上述したように、前記寝台２の天板１の長手方向（同図に示す破線矢印方向）移動による関心部位Ｑの位置ズレ補正は、術者によるマニュアル操作によって行われていたので、術者は煩わしさを感じ診断の際の負担にもなっていた。
【００１５】
本発明は、上記事情に鑑みてなされたものであり、その目的とするところは、天板の起倒移動の際に、Ｘ線照射源と被検体の関心部位の位置関係にズレが生じることのないよう、前記天板の起倒角度に応じて、天板及び／又はＸ線系の位置調整を自動的に行うＸ線診断装置を提供することにある。
【００１６】
【課題を解決するための手段】
上記課題を解決するため、請求項１記載の発明は、長手方向に沿って被検体を載置した天板と、この天板の起倒移動、長手方向移動、上下方向移動を駆動する駆動手段と、前記被検体の関心部位にＸ線を照射し、被検体を透過したＸ線を検出して撮影診断を行うＸ線系と、前記Ｘ線系内に設けられ、前記被検体に対して照射するＸ線を発生させるＸ線管球とを有するＸ線診断装置において、前記関心部位と前記Ｘ線管球のＸ線照射面中心であるＸ線照射源との長手方向の位置が一致した状態における前記関心部位と前記天板の起倒中心の水平距離と、前記天板の位置及び前記Ｘ線系の回転中心位置に基づく前記関心部位の前記天板からの高さと、前記天板の起倒動作により生じる、前記Ｘ線照射源と前記関心部位とのずれに伴う移動量とに基づいて、前記天板の起倒角度に応じた補正量を算出する制御部を有し、前記補正量に基づいて前記天板の上下方向移動と長手方向移動とを行って被検体の関心部位の位置ずれを補正することを特徴とする。
【００１７】
上記課題を解決するため、請求項２記載の発明は、長手方向に沿って被検体を載置した天板と、この天板の起倒移動、長手方向移動、上下方向移動を駆動する駆動手段と、前記被検体の関心部位にＸ線を照射し且つ被検体を透過したＸ線を検出して撮影診断を行うＸ線系と、前記Ｘ線系内に設けられ、前記被検体に対して照射するＸ線を発生させるＸ線管球と、このＸ線系の上下方向移動と水平方向移動を駆動する駆動手段とを有するＸ線診断装置において、前記関心部位と前記Ｘ線管球のＸ線照射面中心であるＸ線照射源との長手方向の位置が一致した状態における前記関心部位と前記天板の起倒中心の水平距離と、前記天板の位置及び前記Ｘ線系の回転中心位置に基づく前記関心部位の前記天板からの高さと、前記天板の起倒動作により生じる、前記Ｘ線照射源と前記関心部位とのずれに伴う移動量とに基づいて、前記天板の起倒角度に応じた補正量を算出する制御部を有し、前記補正量に基づいて前記Ｘ線系の上下方向移動と水平方向移動とを行って被検体の関心部位の位置ずれを補正することを特徴とする。
【００１８】
上記課題を解決するため、請求項３記載の発明は、長手方向に沿って被検体を載置した天板と、この天板の起倒移動、長手方向移動、上下方向移動を駆動する駆動手段と、前記被検体の関心部位にＸ線を照射し且つ被検体を透過したＸ線を検出して撮影診断を行うＸ線系と、前記Ｘ線系内に設けられ、前記被検体に対して照射するＸ線を発生させるＸ線管球と、このＸ線系の上下方向移動と水平方向移動を駆動する駆動手段とを有するＸ線診断装置において、前記関心部位と前記Ｘ線管球のＸ線照射面中心であるＸ線照射源との長手方向の位置が一致した状態における前記関心部位と前記天板の起倒中心の水平距離と、前記天板の位置及び前記Ｘ線系の回転中心位置に基づく前記関心部位の前記天板からの高さと、前記天板の起倒動作により生じる、前記Ｘ線照射源と前記関心部位とのずれに伴う移動量とに基づいて、前記天板の起倒角度に応じた補正量を算出する制御部を有し、前記補正量に基づいて前記天板の上下方向移動及び／又は長手方向移動と前記Ｘ線系の上下方向移動及び／又は水平方向移動とを行って被検体の関心部位の位置ずれを補正することを特徴とする。
【００１９】
【発明の実施の形態】
本発明に係るＸ線診断装置の実施形態について、以下に記載する三つの実施形態を挙げ、図面を用いて詳細に説明する。
【００２０】
［第一の実施形態］
まず、第一の実施形態として、本発明の請求項１に係るＸ線診断装置、つまり天板の起倒動作時に、起倒角度に応じた補正量に基づいて前記天板の上下方向移動と長手方向移動とを行って被検体の関心部位の位置ズレを補正するＸ線診断装置を例にとり、以下に説明を行う。
【００２１】
図１に示すように、本実施形態におけるＸ線診断装置は、主に、患者を載置する天板１と、該天板１を駆動させる手段である寝台２と、被検体Ｐに対しＸ線照射を行うＸ線管３ａ及び被検体Ｐから透過してくるＸ線を検出するＸ線検出器３ｂからなるＸ線系３と、これら構成要素の制御を行う制御部４から構成されている。前記寝台２は、天板１の駆動手段であり、天板１の起倒移動に加え、上下方向移動、長手方向移動（同図に示す破線矢印方向）、横手方向移動（同図に示す奥行き方向）が可能に構成されている。また、前記Ｘ線系３は、Ｘ線ビームを常に前記天板１の天板面に関して垂直に照射するべく、天板１の起倒角度に応じた関心部位Ｑを中心とする回転移動が可能に構成されている。また、該Ｘ線系３は、被検体Ｐの天板１への載置の際に、その妨げとならないように、水平方向に関して移動可能に構成される場合もある。
【００２２】
尚、本実施形態におけるＸ線診断装置の前記天板１の起倒中心は、便宜上の都合により、前記天板１上面の延長線上（同図におけるＯの位置）に位置するものとする。
【００２３】
以下、図１及び図２を参照しつつ、撮影手順に従って説明する。
【００２４】
Ｘ線撮影に先立ち、まず被検体Ｐの関心部位ＱがＸ線管球３ａのＸ線照射面中心であるＸ線照射源Ｒの直下に配置される。この時、被検体Ｐの体幅方向（図における奥行き方向）に関する位置調整は、天板１の横手方向（図における奥行き方向）移動により行われ、被検体Ｐの体軸方向（図における左右方向）に関する位置調整は、Ｘ線系３の水平方向移動又は天板１の長手方向移動（水平方向移動）により行われる（図１参照）。この位置調整により、被検体Ｐの関心部位ＱとＸ線照射源Ｒの水平方向（図における左右方向）に関する位置は一致し、この時、該Ｘ線照射源Ｒ（関心部位Ｑ）と、前記天板１の起倒中心Ｏの水平距離Ｌが、前記Ｘ線系３内に設けられた図示省略のセンサにより検出される。
【００２５】
次に、被検体Ｐの関心部位Ｑの天板１上面からの高さＨが、下記の方法によって算出される。まず被検体Ｐの関心部位Ｑが、前記Ｘ線系３の回転中心とその高さを一致するように位置調整される（このように、該被検体Ｐの関心部位Ｑを前記Ｘ線系３の回転中心に一致させることで、前記Ｘ線系３の回転移動の際にも、両者の位置関係を常に一定に保つことができる。）。該位置調整は、Ｘ線透視下での術者による前記天板１の上下方向移動によって行われるものである。この時、前記寝台２内に設けられた図示省略のセンサによって、該天板１の位置（高さ）が検出され、この高さを基に前記被検体Ｐの関心部位Ｑの天板１上面からの高さＨが算出される（∵前記Ｘ線系３の回転中心は固定位置にあるため、前記天板１の高さを検出することにより、両者間の距離、すなわち前記被検体Ｐの関心部位Ｑの天板１上面からの高さＨを一義的に算出することができる。）。（図１及び図２参照）。
【００２６】
そして、術者の操作により前記天板１の起倒移動が行われる。この天板１の起倒移動が開始されると、直ちに、該天板１の起倒角度が寝台２内に設けられた図示省略のセンサにより検出され、制御部４において該起倒角度に基づく補正量（以下に述べる。）が算出される（図１及び図２参照）。
【００２７】
図３に示すように、該天板１の起倒移動（起倒角度θ）に伴い、関心部位ＱがＱ１からＱ２へ移動したとする。この時、Ｘ線照射源Ｒと関心部位Ｑとの間には、水平方向に関して移動量Ａだけズレが生じ、垂直方向に関して移動量Ｂだけズレが生じる。これら水平方向に関する移動量Ａ及び垂直方向に関する移動量Ｂが基本となって、同図に示す、天板１の長手方向に関する移動量Ａ´と垂直方向に関する移動量Ｂ´が算出される。
【００２８】
ここで、該天板１の天板面水平方向に関する移動量Ａ´及び垂直方向に関する移動量Ｂ´の算出方法について説明する。
【００２９】
同図に示すように、例えば、前記天板１の起倒角度がθのとき、前記関心部位ＱがＱ１からＱ２へ移動したとする。ここで、同図に示す方向にＸ軸及びＹ軸をとり、前記天板１の起倒中心Ｏを原点とし、且つ天板１起倒前の関心部位Ｑ１の座標を（ｘ１，ｙ１）と定義すれば、天板１起倒後の関心部位Ｑ２の座標（ｘ２，ｙ２）は、以下の行列式より表すことができる。
【００３０】
【式１】
0004907787.tif 000002
【００３１】
従って、同図に示す水平方向に関する移動量Ａ及び垂直方向に関する移動量Ｂは、それぞれ以下のように表すことができる。
【００３２】
【式２】
0004907787.tif 000003
【００３３】
前述のように、Ｘ線照射源Ｒと天板１の起倒中心Ｏの水平距離はＬ、被検体Ｐの関心部位Ｑの天板１上面からの高さはＨと定められているので、上記関心部位Ｑ１の座標ｘ１及びｙ１は、それぞれ、ｘ１＝―Ｌ、ｙ１＝Ｈと表すことができる。
【００３４】
従って、上記式は、以下のように表すことができる。
【００３５】
【式３】
0004907787.tif 000004
【００３６】
さらに、該水平方向に関する移動量Ａ及び該垂直方向に関する移動量Ｂを基に、前記天板１の長手方向に関する移動量Ａ´及び垂直方向に関する移動量Ｂ´を以下に説明する計算式より算出する。
【００３７】
図４に示すように、前記天板１の長手方向に関する移動量Ａ´及び垂直方向に関する移動量Ｂ´は、それぞれ以下のように表すことができる。
【００３８】
【式４】
0004907787.tif 000005
【００３９】
よって、関心部位Ｑの位置ズレ補正を行うには、天板１を長手方向に関して、その位置ズレを無くす方向（図における右上方向）にＡ´だけに移動させ、天板１を垂直方向に関して、その位置ズレを無くす方向（図における上方向）にＢ´だけに移動させれば良い。これにより関心部位Ｑは、図３に示すＱ２からＱ１へと移動し、これをもって関心部位Ｑの位置ズレ補正が完了する。
【００４０】
以上に述べた計算式により、上記天板１の長手方向に関する移動量Ａ´及び垂直方向に関する移動量Ｂ´の値が算出され、前記制御部４によって、前記天板１の駆動手段である寝台２の前記天板１の長手方向及び垂直方向に関する駆動制御が行われる（図１及び図２参照）。
【００４１】
尚、以上に述べた前記天板１の長手方向に関する移動制御と垂直方向に関する移動制御は、共に、前記天板１の起倒移動に同期して且つ同時に行われるものであるため、前記Ｘ線照射源Ｒと前記関心部位Ｑは、常に同じ位置に保たれることとなる。
【００４２】
以上に述べた天板１の起倒動作と同時に、Ｘ線管３ａよりＸ線照射が行われ、且つＸ線検出器３ｂより被検体Ｐを透過したＸ線の検出が行われることにより、被検体Ｐの関心部位Ｑの撮影像がモニタへ表示される。
【００４３】
以上に述べたように、本実施形態に係るＸ線診断装置は、Ｘ線撮影より得られる被検体の関心部位の撮影像を、常にモニタの中央付近に保持することができ、関心部位の撮影像がモニタの表示範囲外へと外れてしまうというような問題を避けることができる。また、該関心部位の撮影像がモニタ表示される際の拡大率を、常に一定値に維持することができる。さらに、上記天板の位置調整は、天板の起倒角度に応じて自動的に行われるものであるため、術者による天板の操作も必要とせず、術者は、煩わしさを感じることなく診断を行うことができる。
【００４４】
［第二の実施形態］
次に、第二の実施形態として、本発明の請求項２に係るＸ線診断装置、つまり天板の起倒動作時に、起倒角度に応じた補正量に基づいてＸ線系の水平方向移動と上下方向移動とを行って被検体の関心部位の位置ズレを補正するＸ線診断装置を例にとり、以下に説明を行う。
【００４５】
図５に示すように、本実施形態におけるＸ線診断装置は、主に、患者を載置する天板１と、該天板１を駆動させる手段である寝台２と、被検体Ｐに対しＸ線照射を行うＸ線管３ａ及び被検体Ｐから透過してくるＸ線を検出するＸ線検出器３ｂと該Ｘ線管３ａ及びＸ線検出器３ｂを駆動させる駆動部３ｃからなるＸ線系３と、これら構成要素の制御を行う制御部４から構成されている。前記寝台２は、天板１の駆動手段であり、前記天板１の起倒移動、長手方向移動（同図に示す破線矢印方向）、横手方向移動（同図に示す奥行き方向）、上下方向移動が可能に構成されている。また、前記Ｘ線系３は、Ｘ線ビームを常に前記天板１の天板面に関して垂直に照射するべく、天板１の起倒角度に応じた関心部位Ｑを中心とする回転移動が可能に構成されている。また、水平方向及び垂直方向の移動が可能に構成されている。
【００４６】
尚、本実施形態におけるＸ線診断装置の天板１の起倒中心は、便宜上の都合により、天板１上面の延長線上（同図におけるＯの位置）に位置するものとする。
【００４７】
以下、図５及び図６を参照しつつ、撮影手順に従い説明を行う。
【００４８】
Ｘ線撮影に先立ち、まず被検体Ｐの関心部位ＱがＸ線管球３ａのＸ線照射面中心であるＸ線照射源Ｒの直下に配置される。この時、被検体Ｐの体幅方向（図における奥行き方向）に関する位置調整は、天板１の横手方向（図における奥行き方向）移動により行われ、被検体Ｐの体軸方向（図における左右方向）に関する位置調整は、Ｘ線系３の水平方向移動又は天板１の長手方向移動（水平方向移動）により行われる（図５参照）。この位置調整により、被検体Ｐの関心部位ＱとＸ線照射源Ｒの水平方向（図における左右方向）に関する位置は一致し、この時、該Ｘ線照射源Ｒ（関心部位Ｑ）と、前記天板１の起倒中心Ｏの水平距離Ｌが、前記Ｘ線系３内に設けられた図示省略のセンサにより検出される。
【００４９】
次に、被検体Ｐの関心部位Ｑの天板１上面からの高さＨが、下記の方法によって算出される。まず被検体Ｐの関心部位Ｑが、前記Ｘ線系３の回転中心とその高さを一致するように位置調整される（このように、該被検体Ｐの関心部位Ｑを前記Ｘ線系３の回転中心に一致させることで、前記Ｘ線系３の回転移動の際にも、両者の位置関係を常に一定に保つことができる。）。該位置調整は、Ｘ線透視下での術者による前記天板１の上下方向移動によって行われるものである。この時、前記寝台２内に設けられた図示省略のセンサによって、該天板１の位置（高さ）が検出されると共に、前記Ｘ線系３内に設けられた図示省略のセンサによって、該Ｘ線系３の回転中心位置（高さ）が検出され、これらの位置を基に前記被検体Ｐの関心部位Ｑの天板１上面からの高さＨが算出される（前記天板１の位置（高さ）と、前記Ｘ線系３の回転中心の位置（高さ）を検出することにより、両者間の距離、すなわち前記被検体Ｐの関心部位Ｑの天板１上面からの高さＨを一義的に算出することができる。）。（図５及び図６参照）。
【００５０】
そして、術者の操作により天板１の起倒移動が行われる。この天板１の起倒移動が開始されると、直ちに、該天板１の起倒角度が寝台２内に設けられた図示省略のセンサにより検出され、制御部４により該起倒角度に基づく補正量（以下に述べる。）が算出される（図５及び図６参照）。
【００５１】
図７に示すように、該天板１の起倒移動（起倒角度θ）に伴い、関心部位ＱがＱ１からＱ２へ移動したとする。この時、Ｘ線照射源Ｒと関心部位Ｑとの間には、水平方向に関して移動量Ａだけズレが生じ、垂直方向に関して移動量Ｂだけズレを生じる。この水平方向に関する移動量ＡがＸ線系の水平方向に関する移動量となり、この垂直方向に関する移動量ＢがＸ線系の上下方向に関する移動量となる。
【００５２】
ここで、該Ｘ線系３の水平方向に関する移動量Ａ及び垂直方向に関する移動量Ｂの算出方法について説明する。
【００５３】
図７に示すように、天板１の起倒角度がθのとき、関心部位ＱがＱ１からＱ２へ移動したとする。ここで、同図に示す方向にＸ軸及びＹ軸をとり、前記天板１の起倒中心Ｏを原点し、且つ天板１起倒前の関心部位Ｑ１の座標を（ｘ１，ｙ１）と定義すると、天板１起倒後の関心部位Ｑ２の座標（ｘ２，ｙ２）は、以下の行列式より表すことができる。
【００５４】
【式５】
0004907787.tif 000006
【００５５】
従って、前記Ｘ線系の水平方向に関する移動量Ａ及び垂直方向に関する移動量Ｂは、それぞれ以下のように表すことができる。
【００５６】
【式６】
0004907787.tif 000007
【００５７】
前述のように、前記Ｘ線照射源Ｒと天板１の起倒中心Ｏの水平距離はＬ、前記関心部位Ｑの天板１上面からの高さはＨと定められているので、上記関心部位Ｑ１の座標ｘ１及びｙ１は、それぞれ、ｘ１＝―Ｌ、ｙ１＝Ｈと表すことができる。
【００５８】
従って、上記式は、以下のように表すことができる。
【００５９】
【式７】
0004907787.tif 000008
【００６０】
よって、関心部位Ｑの水平方向に関する位置ズレ補正を行うためには、Ｘ線系３を水平方向に関して移動量Ａだけ、その誤差を無くす方向（図における左方向）に移動させればよく、これをもって関心部位Ｑの水平方向に関する位置ズレ補正が完了する。
【００６１】
また、関心部位Ｑの垂直方向に関する位置ズレ補正を行うためには、Ｘ線系３を垂直方向に関して移動量Ｂだけ、その誤差を無くす方向（図における下方向）に移動させればよく、これをもって関心部位Ｑの垂直方向に関する位置ズレ補正が完了する。
【００６２】
以上に述べた計算式により、前記Ｘ線系３の水平方向に関する移動量Ａ及び上下方向に関する移動量Ｂが算出されると、制御部４により、前記Ｘ線系３に設けられた該Ｘ線系３の駆動手段である駆動部３ｃの該Ｘ線系３の水平方向移動及び上下方向移動に関する駆動制御が行われる（図５及び図６参照）。
【００６３】
尚、以上に述べた前記Ｘ線系３の水平方向に関する駆動制御と垂直方向に関する駆動制御は、共に、前記天板１の起倒移動に同期して且つ同時に行われるものであるため、前記Ｘ線照射源Ｒと前記関心部位Ｑは、常に同じ位置に保たれることとなる。
【００６４】
以上に述べた天板１の起倒動作と同時に、Ｘ線管３ａよりＸ線照射が行われ、且つＸ線検出器３ｂより被検体Ｐを透過したＸ線の検出が行われることにより、被検体Ｐの関心部位Ｑの撮影像がモニタへ表示される。
【００６５】
以上に述べたように、本実施形態に係るＸ線診断装置は、Ｘ線撮影より得られる被検体の関心部位の撮影像を、常にモニタの中央付近に保持することができ、関心部位の撮影像がモニタの表示範囲外へと外れてしまうというような問題を避けることができる。また、該関心部位の撮影像がモニタ表示される際の拡大率を、常に一定値に維持することができる。さらに、上記Ｘ線系の位置調整は、天板の起倒角度に応じて自動的に行われるものであるため、術者によるＸ線系の操作も必要とせず、術者は、煩わしさを感じることなく診断を行うことができる。
【００６６】
さらに、本実施形態に係るＸ線診断装置は、関心部位の位置ズレ補正に関してＸ線系側のみをもって調整する構成となっているため、前記関心部位の位置ズレ補正に際し、被検体自体を移動する必要がない。従って、例えば、被検体の状況が悪く、被検体自体を大きく動かすことが不可能な場合にも撮影を行うことができる。
【００６７】
［第三の実施形態］
次に、第三の実施形態として、本発明の請求項３に係るＸ線診断装置、つまり天板の起倒動作時に、起倒角度に応じた補正量に基づいてＸ線系の水平方向移動及び／又は上下方向移動と、前記天板の上下方向移動及び／又は長手方向移動とを行って被検体の関心部位の位置ズレを補正するＸ線診断装置を例にとり、以下に説明を行う。
【００６８】
本実施形態におけるＸ線診断装置は、上述した第一の実施形態におけるＸ線診断装置と第二の実施形態におけるＸ線診断装置を組み合わされたものであるので、あえて図示することは省略するが、以下に、その組み合わせの例を挙げ説明することにする。
【００６９】
例えば、本実施形態におけるＸ線診断装置では、被検体の関心部位の水平方向に関する位置ズレをＸ線系の水平方向の移動により補正し、前記被検体の関心部位の垂直方向に関する位置ズレを天板の上下方向の移動により補正することも可能である。
【００７０】
また、例えば、前記被検体の関心部位の水平方向に関する位置ズレをＸ線系の水平方向の移動と天板の長手方向の移動により補正し、前記被検体の関心部位の垂直方向に関する位置ズレをＸ線系の垂直方向の移動と天板の上下方向の移動により補正することも可能である。
【００７１】
このように、被検体の関心部位の位置ズレ補正をＸ線系の移動及び天板の移動の双方によって行うことで、両者の補正の幅を合わせて利用することができ、例えば、天板の起倒角度が大きな場合にも、十分に補正を行うことが可能となる。また、当然に、第一の実施形態に係るＸ線診断装置及び第二の実施形態に係るＸ線診断装置によって得られる効果も得ることができる。
【００７２】
【発明の効果】
以上に述べたように、本発明に係るＸ線診断装置は、天板の起倒角度に応じて補正値を算出し、前記天板の起倒移動に同期してその補正（位置調整）を行うので、被検体の関心部位の撮影像を常にモニタ中央付近に保持することができる。従って、関心部位の撮影像がモニタの表示範囲外へと外れてしまう問題を避けることができる。また、関心部位の撮影像がモニタに表示される際の拡大率を常に一定値付近に維持することができる。さらに、これら位置調整は、術者による操作を必要とせず、自動的に行われるものであるので、術者は、煩わしさを感じることなく診断を行うことができる。
【００７３】
また、本発明である請求項２及び請求項３に係るＸ線診断装置にあっては、被検体の関心部位の位置ズレ補正に関して、Ｘ線系側のみをもって位置調整することが可能な構造となっているため、前記位置ズレ補正に際し、被検体自体を移動する必要がない。従って、例えば、被検体の状況が悪く、被検体自体を動かすことが不可能な場合にも撮影を行うことができる。
【図面の簡単な説明】
【図１】本発明の請求項１に係るＸ線診断装置の一実施形態を示す構成図である。
【図２】図１に示すＸ線診断装置の位置調整過程を示すフローチャートである。
【図３】天板の長手方向に関する移動量Ａ´及び上下方向に関する移動量Ｂ´を算出するための説明図である。
【図４】図３に示す説明図の部分拡大図である。
【図５】本発明の請求項２に係るＸ線診断装置の一実施形態を示す構成図である。
【図６】図５に示すＸ線診断装置の位置調整過程を示すフローチャートである。
【図７】Ｘ線系の水平方向に関する移動量Ａ及び垂直方向に関する移動量Ｂを算出するための説明図である。
【図８】従来のＸ線診断装置を示す構成図である。
【図９】従来のＸ線診断装置における位置調整過程を示す説明図である。
【符号の説明】
１…天板
２…寝台
３…Ｘ線系
３ａ…Ｘ線管
３ｂ…Ｘ線検出器
４…制御部
Ａ…水平方向に関する移動量
Ａ´…天板の長手方向に関する移動量
Ｂ…垂直方向に関する移動量
Ｂ´…天板の上下方向に関する移動量
Ｈ…関心部位の天板上面からの高さ
Ｌ…関心部位と天板起倒中心間の水平距離
Ｏ…天板起倒中心
Ｐ…被検体
Ｑ…関心部位
Ｑ１…起倒前の関心部位の位置
Ｑ２…起倒後の関心部位の位置
Ｑ３…位置調整過程の関心部位の位置
Ｒ…Ｘ線照射源
Ｒ１…起倒前のＸ線照射源の位置
Ｒ２…起倒後のＸ線照射源の位置
【図１】
0004907787.tif 000009
【図２】
0004907787.tif 000010
【図３】
0004907787.tif 000011
【図４】
0004907787.tif 000012
【図５】
0004907787.tif 000013
【図６】
0004907787.tif 000014
【図７】
0004907787.tif 000015
【図８】
0004907787.tif 000016
【図９】
0004907787.tif 000017